(57)【要約】【課題】一例として、送受信される表示データの解像度を、送信側の電子機器と受信側の電子機器とが互いに対応している解像度のうち最大の解像度よりも小さい解像度に設定することが可能な電子機器を得る。【解決手段】実施形態による電子機器は、一例として、第１表示部と、送信部と、制御部とを備える。第１表示部は、第１映像を表示可能に構成されている。送信部は、第２表示部を有する他の電子機器に表示データを送信するために設けられている。制御部は、第１映像に対応する第２映像が第２表示部に表示されるように、第１映像に対応する表示データに基づいて第２映像の解像度を決定し、決定した解像度に変換された表示データを通信部を介して他の電子機器に送信する制御を行う。【選択図】図６
2015012365.tif 000002
【特許請求の範囲】
【請求項１】
第１映像を表示可能な第１表示部と、
第２表示部を有する他の電子機器に表示データを送信するための送信部と、
前記第１映像に対応する第２映像が前記第２表示部に表示されるように、前記第１映像に対応する表示データに基づいて前記第２映像の解像度を決定し、決定した前記解像度に変換された表示データを前記送信部を介して前記他の電子機器に送信する制御を行う制御部とを備える、電子機器。
【請求項２】
前記第１表示部は、複数の第１解像度の前記第１映像を表示可能に構成されているとともに、前記第２表示部は、複数の第２解像度の前記第２映像を表示可能に構成されており、
前記制御部は、前記第１映像に対応する表示データに基づいて、前記第１解像度と前記第２解像度とが互いに一致する解像度のうち最大の解像度よりも小さい基準解像度を決定するとともに、前記第１解像度と前記第２解像度とが互いに一致する解像度のうち前記基準解像度に最も近い解像度を前記第２映像の解像度として決定するように構成されている、請求項１に記載の電子機器。
【請求項３】
前記制御部は、前記基準解像度以上で、かつ、前記第１解像度と前記第２解像度とが互いに一致する最小の解像度を前記第２映像の解像度として決定するように構成されている、請求項２に記載の電子機器。
【請求項４】
前記制御部は、前記複数の第１解像度のうち前記基準解像度以上でかつ最小の第１解像度と一致する前記第２解像度が存在するか否かを判断し、前記最小の第１解像度と一致する前記第２解像度が存在する場合には、前記最小の第１解像度と一致する前記第２解像度を前記第２映像の解像度として決定するとともに、前記最小の第１解像度と一致する前記第２解像度が存在しない場合には、前記最小の第１解像度の次に前記基準解像度よりも大きい第１解像度と一致する前記第２解像度が存在するか否かを判断するという一連の第１のサイクルを繰り返すように構成されている、請求項３に記載の電子機器。
【請求項５】
前記制御部は、前記第１のサイクルを繰り返しても前記第２映像の解像度を決定することができない場合には、前記基準解像度未満で、かつ、前記第１解像度と前記第２解像度とが互いに一致する最大の解像度を前記第２映像の解像度として決定するように構成されている、請求項４に記載の電子機器。
【請求項６】
前記制御部は、前記複数の第１解像度のうち前記基準解像度未満でかつ最大の第１解像度と一致する前記第２解像度が存在するか否かを判断し、前記最大の第１解像度と一致する前記第２解像度が存在する場合には、前記最大の第１解像度と一致する前記第２解像度を前記第２映像の解像度として決定するとともに、前記最大の第１解像度と一致する前記第２解像度が存在しない場合には、前記最大の第１解像度の次に前記基準解像度よりも小さい第１解像度と一致する前記第２解像度が存在するか否かを判断するという一連の第２のサイクルを繰り返すように構成されている、請求項５に記載の電子機器。
【請求項７】
前記第１映像を含む前記第１表示部の表示画面全体に対応する映像を前記第２映像として前記第２表示部に表示させる第１のモードと、前記第１映像そのものに対応する映像を前記第２映像として前記第２表示部に表示させる第２のモードとを選択可能に構成されており、
前記制御部は、前記第１のモードが選択されている場合には、前記第１表示部の表示画面全体に対応する映像の前記第１解像度を前記基準解像度として決定し、前記第２のモードが選択されている場合には、前記第１映像そのものに対応する映像の前記第１解像度を前記基準解像度として決定するように構成されている、請求項２〜６のいずれか１項に記載の電子機器。
【請求項８】
第１電子機器の第１表示部に表示された第１映像に対応する第２映像が第２電子機器の第２表示部に表示されるように、前記第１映像に対応する表示データに基づいて前記第２映像の解像度を決定し、決定した前記解像度に変換された表示データを前記第１電子機器から前記第２電子機器に送信する、表示データの送信方法。
【請求項９】
コンピュータに、
第１電子機器の第１表示部に表示された第１映像に対応する第２映像が第２電子機器の第２表示部に表示されるように、前記第１映像に対応する表示データに基づいて前記第２映像の解像度を決定し、決定した前記解像度に変換された表示データを前記第１電子機器から前記第２電子機器に送信することを実行させるための、プログラム。
【発明の詳細な説明】
【技術分野】
【０００１】
本発明の実施形態は、電子機器、表示データの送信方法およびプログラムに関する。
【背景技術】
【０００２】
従来、２個の電子機器間で表示データを送受信することにより一方の電子機器側に表示されている映像に対応する映像を他方の電子機器側に表示させる技術が知られている。このような従来技術では、一般的に、送受信される表示データの解像度は、送信側の電子機器と受信側の電子機器とが互いに対応している解像度のうち最大の解像度に設定される。
【先行技術文献】
【特許文献】
【０００３】
【特許文献１】特開２００９−２６０８１８号公報
【発明の概要】
【発明が解決しようとする課題】
【０００４】
上記のような技術では、一例として、送受信される表示データの解像度を、送信側の電子機器と受信側の電子機器とが互いに対応している解像度のうち最大の解像度よりも小さい解像度にも設定することができれば望ましい。
【課題を解決するための手段】
【０００５】
実施形態による電子機器は、一例として、第１表示部と、送信部と、制御部とを備える。第１表示部は、第１映像を表示可能に構成されている。送信部は、第２表示部を有する他の電子機器に表示データを送信するために設けられている。制御部は、第１映像に対応する第２映像が第２表示部に表示されるように、第１映像に対応する表示データに基づいて第２映像の解像度を決定し、決定した解像度に変換された表示データを送信部を介して他の電子機器に送信する制御を行う。
【図面の簡単な説明】
【０００６】
【図１】図１は、本実施形態によるタブレットを含む映像表示システムの全体構成の一例を示した図である。
【図２】図２は、本実施形態によるタブレットおよびテレビジョン装置の内部構成の一例を示したブロック図である。
【図３】図３は、本実施形態によるタブレットがテレビジョン装置に第１のモードで表示データを送信している状態の一例を示した図である。
【図４】図４は、本実施形態によるタブレットがテレビジョン装置に第２のモードで表示データを送信している状態の一例を示した図である。
【図５】図５は、解像度とフレームレートとの対応関係の一例を示した図である。
【図６】図６は、本実施形態によるタブレット側の映像がテレビジョン装置側に表示される際にタブレットの制御部により実行される処理フローの一例を示したフローチャートである。
【発明を実施するための形態】
【０００７】
以下、実施形態を図面に基づいて説明する。
【０００８】
まず、図１〜図５を参照して、本実施形態によるタブレット１０を含む映像表示システム１００の構成の一例について説明する。
【０００９】
図１に示すように、映像表示システム１００は、タブレット１０と、テレビジョン装置２０とを備える。なお、タブレット１０は、「電子機器」および「第１電子機器」の一例である。また、テレビジョン装置２０は、「他の電子機器」および「第２電子機器」の一例である。
【００１０】
タブレット１０は、インターネットなどのネットワーク３０を介してサーバ４０に接続されている。このサーバ４０は、ネットワーク３０を介して動画や静止画などのコンテンツを配信するように構成されている。
【００１１】
また、タブレット１０とテレビジョン装置２０とは、互いに通信可能に接続されている。たとえば、タブレット１０は、ルータなどのアクセスポイントを必要としない無線通信規格（たとえばＷｉ−Ｆｉ  Ｄｉｒｅｃｔ（登録商標）など）に準拠した通信を行うことにより、テレビジョン装置２０に種々のデータ（たとえば、映像を表示させるための表示データ）を送信することが可能なように構成されている。このように２個の機器間で表示データを送受信する技術として、たとえばＭｉｒａｃａｓｔ（登録商標）という技術が知られている。
【００１２】
図２に示すように、タブレット１０は、通信部１１と、表示部１２と、映像処理部１３と、操作部１４と、制御部１５と、記憶部１６とを備える。また、テレビジョン装置２０は、通信部２１と、表示部２２と、映像処理部２３と、リモコン受信部２４と、制御部２５と、記憶部２６と、チューナ２７とを備える。なお、通信部１１は、「送信部」の一例である。また、表示部１２および２２は、それぞれ、「第１表示部」および「第２表示部」の一例である。
【００１３】
タブレット１０の通信部１１は、ネットワーク３０を介してサーバ４０（図１参照）に接続されている。この通信部１１は、テレビジョン装置２０の通信部２１に通信可能に接続されている。また、タブレット１０の表示部１２は、サーバ４０から配信されたコンテンツなどの映像を表示可能に構成されている。この表示部１２は、種々のサイズの映像を表示可能に構成されている。すなわち、表示部１２は、複数の解像度（横×縦の画面サイズ）の映像を表示可能に構成されている。以下では、表示部１２がサポートしている解像度を第１解像度と呼ぶ。
【００１４】
なお、タブレット１０の映像処理部１３は、表示部１２に表示される映像に対応する表示データに対して所定の映像処理（解像度変換やエンコードやデコードなど）を行う機能を有する。また、タブレット１０の操作部１４は、表示部１２を用いたタッチパネルなどにより構成されている。
【００１５】
また、タブレット１０の制御部１５は、タブレット１０の各部の制御を行うように構成されている。また、タブレット１０の記憶部１６は、制御部１５により実行される種々のプログラムや、これら種々のプログラムが実行される際に用いられる種々のデータを記憶するために設けられている。
【００１６】
また、図２に示すように、テレビジョン装置２０の通信部２１は、タブレット１０の通信部１１に通信可能に接続されている。また、テレビジョン装置２０の表示部２２は、複数の解像度（第２解像度）の映像を表示可能に構成されている。また、テレビジョン装置２０の映像処理部２３は、表示部２２に表示される映像に対応する表示データに対して所定の映像処理を行う機能を有する。
【００１７】
テレビジョン装置２０のリモコン受信部２４は、テレビジョン装置２０を操作するためのリモコン５０から送信されるリモコン信号を受信するように構成されている。また、テレビジョン装置２０の制御部２５は、テレビジョン装置２０の各部の制御を行うように構成されている。また、テレビジョン装置２０の記憶部２６は、制御部２５により実行される種々のプログラムなどを記憶するために設けられている。なお、テレビジョン装置２０のチューナ２７は、放送局（図示せず）から送信される放送波を受信するために設けられている。
【００１８】
ここで、本実施形態では、図３および図４に示すように、タブレット１０の制御部１５は、タブレット１０の表示部１２に表示されている映像（サーバ４０（図１参照）から配信されるコンテンツや、記憶部１６に保存された動画や静止画などからなる第１映像）に対応する映像（第２映像）をテレビジョン装置２０の表示部２２に表示させることが可能なように構成されている。具体的には、タブレット１０の制御部１５は、タブレット１０側の第１映像に対応する表示データに対して映像処理部１３を用いて解像度変換（およびエンコード）を行うとともに、変換（およびエンコード）後の表示データを通信部１１を介してテレビジョン装置２０に送信することにより、第１映像に対応する第２映像をテレビジョン装置２０側に表示させることが可能なように構成されている。
【００１９】
また、本実施形態では、タブレット１０側の映像に対応する映像をテレビジョン装置２０側に表示させる際に、第１映像（サーバ４０（図１参照）から配信されるコンテンツ）を含む表示部１２の表示画面全体に対応する映像を第２映像としてテレビジョン装置２０の表示部２２に表示させる第１のモード（Ｍｉｒｒｏｒｉｎｇモード：図３参照）と、第１映像そのものに対応する映像を第２映像としてテレビジョン装置２０の表示部２２に表示させる第２のモード（Ｖｉｄｅｏ−Ｏｎｌｙモード：図４参照）とを選択することが可能なように構成されている。このようなモードの選択は、ユーザによるタブレット１０の操作部１４の操作などによって行われる。
【００２０】
ここで、図３および図４を参照して、第１のモードおよび第２のモードについて説明する。以下では、一例として、タブレット１０の表示部１２に、サーバ４０（図１参照）から配信された動画（第１映像）の画像ＩＭ１と、その動画を操作するための操作ボタンＢ１およびシークバーＳＢ１を含む画像ＩＭ２とが表示されている例について説明する。
【００２１】
図３に示すように、第１のモードでは、テレビジョン装置２０の表示部２２には、タブレット１０の表示部１２の表示画面全体に対応する画面が表示される。具体的には、テレビジョン装置２０の表示部２２には、タブレット１０側の第１映像の画像ＩＭ１に対応する画像ＩＭ３（サーバ４０（図１参照）から配信された動画の画像）と、タブレット１０側の画像ＩＭ２に対応する画像ＩＭ４（操作ボタンＢ２およびシークバーＳＢ２を含む画像）の両方が表示されている。
【００２２】
その一方、図４に示すように、第２のモードでは、第１のモードと異なり、テレビジョン装置２０の表示部２２には、タブレット１０の表示部１２の表示画面全体に対応する画面は表示されず、タブレット１０の表示部１２に表示された第１映像そのものに対応する画面のみが表示される。具体的には、テレビジョン装置２０の表示部２２には、タブレット１０側の第１映像の画像ＩＭ１に対応する画像ＩＭ５（サーバ４０から配信された動画の画像）のみが表示されている。
【００２３】
ここで、上記第１のモードおよび第２のモードのいずれが選択されている場合においても、タブレット１０側の第１映像に対応する第２映像をテレビジョン装置２０側に表示させる場合には、どのような解像度でテレビジョン装置２０側に第２映像を表示させるかを決定する必要がある。すなわち、タブレット１０の制御部１５は、第１映像に対応する表示データをテレビジョン装置２０に送信する際に、その表示データを映像処理部１３を用いてどのような解像度に変換するかを決定する必要がある。
【００２４】
そこで、本実施形態では、タブレット１０の制御部１５は、まず、第１映像に対応する表示データに基づいて、第１解像度（タブレット１０の表示部１２がサポートしている解像度）と第２解像度（テレビジョン装置２０の表示部２２がサポートしている解像度）とが互いに一致する解像度のうち最大の解像度よりも小さい基準解像度を決定するように構成されている。そして、制御部１５は、第１解像度と第２解像度とが互いに一致する解像度のうち基準解像度に最も近い解像度を第２映像の解像度（以下、目標解像度と呼ぶ）として決定するように構成されている。
【００２５】
このように、本実施形態では、制御部１５は、第１映像に対応する表示データに基づいて目標解像度を決定し、決定した目標解像度で表示データを変換（およびエンコード）してテレビジョン装置２０に送信することにより、タブレット１０側の第１映像に対応する第２映像をテレビジョン装置２０側に表示させるように構成されている。以下、基準解像度および目標解像度がどのように決定されるかについてより詳細に説明する。
【００２６】
基準解像度が決定される際には、まず、制御部１５は、第１のモード（図３参照）または第２のモード（図４参照）のいずれのモードが選択されているかを判断するように構成されている。そして、制御部１５は、第１のモード（図３参照）が選択されていると判断した場合には、第１映像を含む表示部１２の表示画面全体の解像度（図３の画面ＩＭ１およびＩＭ２全体の解像度）を基準解像度として決定し、第２のモード（図４参照）が選択されていると判断した場合には、表示部１２に表示された第１映像そのものの解像度（図４の画面ＩＭ１の横×縦の解像度）を基準解像度として決定するように構成されている。
【００２７】
また、目標解像度が決定される際には、まず、制御部１５は、基準解像度以上で、かつ、第１解像度と第２解像度とが互いに一致する最小の解像度を目標解像度として決定するように構成されている。そして、制御部１５は、複数の第１解像度のうち基準解像度以上でかつ最小の第１解像度と一致する第２解像度が存在するか否かを判断し、最小の第１解像度と一致する第２解像度が存在する場合には、その第２解像度を目標解像度として決定するとともに、最小の第１解像度と一致する第２解像度が存在しない場合には、最小の第１解像度の次に基準解像度よりも大きい第１解像度と一致する第２解像度が存在するか否かを判断するという一連の第１のサイクルを繰り返すように構成されている。これにより、基準解像度以上の解像度の範囲で基準解像度に最も近い解像度が目標解像度として決定される。
【００２８】
また、制御部１５は、上記第１のサイクルを繰り返しても目標解像度を決定することができない場合には、基準解像度未満で、かつ、第１解像度と第２解像度とが互いに一致する最大の解像度を目標解像度として決定するように構成されている。そして、制御部１５は、複数の第１解像度のうち基準解像度未満でかつ最大の第１解像度と一致する第２解像度が存在するか否かを判断し、最大の第１解像度と一致する第２解像度が存在する場合には、その第２解像度を目標解像度として決定するとともに、最大の第１解像度と一致する第２解像度が存在しない場合には、最大の第１解像度の次に基準解像度よりも小さい第１解像度と一致する第２解像度が存在するか否かを判断するという一連の第２のサイクルを繰り返すように構成されている。これにより、基準解像度未満の解像度の範囲で基準解像度に最も近い解像度が目標解像度として決定される。
【００２９】
なお、本実施形態では、タブレット１０側の第１映像に対応する第２映像をテレビジョン装置２０側に表示させる場合には、どのような解像度でテレビジョン装置２０側に第２映像を表示させるかのみならず、どのようなフレームレートでテレビジョン装置２０側に第２映像を表示させるかも決定する必要がある。すなわち、タブレット１０の制御部１５は、第１映像に対応する表示データをテレビジョン装置２０に送信する際に、その表示データを映像処理部１３を用いてどのようなフレームレートに変換するかを決定する必要がある。
【００３０】
ここで、本実施形態では、解像度とフレームレートとは、設定などにより予め対応付けられている。したがって、上記のように目標解像度が決定されると、その目標解像度に対応するフレームレートも自動的に決定される。すなわち、本実施形態では、タブレット１０の制御部１５は、図５に示すようなテーブルＴに基づいてフレームレートを決定するように構成されている。このテーブルＴは、たとえば記憶部１６などに記憶される。
【００３１】
図５に示したテーブルＴでは、一例として、解像度とフレームレートとが１対１で対応付けられている。これにより、目標解像度（横×縦の解像度）が６４０×４８０（７２０×４８０）に決定された場合には、フレームレートは６０ｆｐｓに決定される。また、目標解像度が７２０×５７６に決定された場合には、フレームレートは５０ｆｐｓに決定される。また、目標解像度が１２８０×７２０（１９２０×１０８０）に決定された場合には、フレームレートは３０ｆｐｓに決定される。なお、一般的に、解像度が大きくなるほどフレームレートは小さくなるとともに、解像度が小さくなるほどフレームレートは大きくなる。
【００３２】
次に、図６を参照して、本実施形態によるタブレット１０側の映像がテレビジョン装置２０側に表示される際にタブレット１０の制御部１５により実行される処理フローの一例について説明する。
【００３３】
この処理フローでは、まず、図６に示すように、ステップＳ１において、タブレット１０側の映像がテレビジョン装置２０側に表示される際のモードとして、第１のモード（図３参照）と第２のモード（図４参照）とのいずれのモードが選択されているかを判断する処理が実行される。
【００３４】
ステップＳ１において、第１のモードが選択されていると判断された場合には、ステップＳ２に進む。そして、ステップＳ２において、第１映像を含む表示部１２の表示画面全体の解像度（図３の画面ＩＭ１およびＩＭ２全体の解像度）を基準解像度として決定する処理が実行される。
【００３５】
一方、ステップＳ１において、第２のモードが選択されていると判断された場合には、ステップＳ３に進む。そして、ステップＳ３において、第１映像そのものの解像度（図４の画面ＩＭ１の横×縦の解像度）を基準解像度として決定する処理が実行される。
【００３６】
上記ステップＳ２またはＳ３のいずれか一方の処理が実行された後には、ステップＳ４に進む。そして、ステップＳ４において、基準解像度以上のサイズの第１解像度（タブレット１０の表示部１２がサポートしている複数の解像度）が存在するか否かを判断する処理が実行される。
【００３７】
ステップＳ４において、基準解像度以上の第１解像度が存在すると判断された場合には、ステップＳ５に進む。そして、ステップＳ５において、基準解像度以上の第１解像度のうち最小の第１解像度を目標解像度として決定する処理が実行され、ステップＳ６に進む。
【００３８】
ステップＳ６においては、目標解像度に一致する第２解像度（テレビジョン装置２０の表示部２２がサポートしている複数の解像度）が存在するか否かを判断する処理が実行される。
【００３９】
ステップＳ６において、目標解像度に一致する第２解像度が存在すると判断された場合には、ステップＳ７に進む。そして、ステップＳ７において、第１映像に対応する表示データを目標解像度でエンコードしてテレビジョン装置２０に送信する処理が実行される。なお、このとき、表示データのフレームレートは、図５に示したテーブルＴなどに基づいて決定される。そして、処理が終了する。
【００４０】
一方、ステップＳ６において、目標解像度に一致する第２解像度が存在しないと判断された場合には、ステップＳ８に進む。そして、ステップＳ８において、目標解像度よりも大きい第１解像度が存在するか否かを判断する処理が実行される。
【００４１】
ステップＳ８において、目標解像度よりも大きい第１解像度が存在すると判断された場合には、ステップＳ９に進む。そして、ステップＳ９において、目標解像度よりも大きい第１解像度のうち最小の第１解像度（ステップＳ５において決定された目標解像度の次に基準解像度よりも大きい第１解像度）を新たな目標解像度として決定する処理が実行され、ステップＳ６に戻る。
【００４２】
なお、ステップＳ４において基準解像度以上の第１解像度が存在しないと判断された場合、および、ステップＳ８において目標解像度よりも大きい第１解像度が存在しないと判断された場合には、ステップＳ１０に進む。そして、ステップＳ１０において、基準解像度未満の第１解像度が存在するか否かを判断する処理が実行される。
【００４３】
ステップＳ１０において、基準解像度未満の第１解像度が存在しないと判断された場合には、ステップＳ７のような表示データをエンコードする処理が行われずに、処理が終了する。一方、ステップＳ１０において、基準解像度未満の第１解像度が存在すると判断された場合には、ステップＳ１１に進む。
【００４４】
ステップＳ１１においては、基準解像度未満の第１解像度のうち最大の第１解像度を新たな目標解像度として決定する処理が実行され、ステップＳ１２に進む。そして、ステップＳ１２において、目標解像度に一致する第２解像度が存在するか否かを判断する処理が実行される。
【００４５】
ステップＳ１２において、目標解像度に一致する第２解像度が存在すると判断された場合には、ステップＳ７に進む。そして、目標解像度で表示データをエンコードしてテレビジョン装置２０に送信する処理が実行され、処理が終了する。一方、ステップＳ１２において、目標解像度に一致する第２解像度が存在しないと判断された場合には、ステップＳ１３に進む。
【００４６】
ステップＳ１３においては、目標解像度よりも小さい第１解像度が存在するか否かを判断する処理が実行される。このステップＳ１３において、目標解像度よりも小さい第１解像度が存在しないと判断された場合には、ステップＳ７のような表示データをエンコードする処理が行われずに、処理が終了する。一方、ステップＳ１３において、目標解像度よりも小さい第１解像度が存在すると判断された場合には、ステップＳ１４に進む。
【００４７】
そして、ステップＳ１４において、目標解像度よりも小さい第１解像度のうち最大の第１解像度（ステップＳ１０において決定された目標解像度の次に基準解像度よりも大きい第１解像度）を新たな目標解像度として決定する処理が実行され、ステップＳ１２に戻る。
【００４８】
このように、本実施形態では、目標解像度が決定され、その目標解像度でエンコードされた表示データがテレビジョン装置２０に送信される処理（ステップＳ７の処理）が実行されるまで、基準解像度以上の解像度の範囲で基準解像度に最も近い目標解像度を探索して決定する第１のサイクル（ステップＳ６、Ｓ８およびＳ９を含むサイクル）と、基準解像度未満の解像度の範囲で基準解像度に最も近い目標解像度を探索して決定する第２のサイクル（ステップＳ１２〜Ｓ１４を含むサイクル）とが繰り返される。
【００４９】
以上説明したように、本実施形態では、タブレット１０の制御部１５は、タブレット１０側の第１映像に対応する第２映像がテレビジョン装置２０側に表示されるように、第１映像に対応する表示データに基づいて第２映像の解像度（目標解像度）を決定し、決定された解像度に変換（およびエンコード）された表示データをテレビジョン装置２０に送信する制御を行うように構成されている。これにより、一例として、第１映像に対応する表示データに基づいて、タブレット１０とテレビジョン装置２０との間で送受信される表示データの解像度（目標解像度）を、送信側のタブレット１０と受信側のテレビジョン装置２０とが互いに対応している解像度のうち最大の解像度よりも小さい解像度に設定することができる。その結果、一例として、タブレット１０とテレビジョン装置２０との間で送受信される表示データのフレームレートを相対的に大きくすることができるので、テレビジョン装置２０側に表示される第２映像の解像度とフレームレートとのバランスをよく設定することができ、映像品質を高めることができる。
【００５０】
また、本実施形態では、上記のように、制御部１５は、第１映像に対応する表示データに基づいて、第１解像度（タブレット１０の表示部１２がサポートしている解像度）と第２解像度（テレビジョン装置２０の表示部２２がサポートしている解像度）とが互いに一致する解像度のうち最大の解像度よりも小さい基準解像度を決定するとともに、第１解像度と第２解像度とが互いに一致する解像度のうち基準解像度に最も近い解像度を目標解像度として決定するように構成されている。これにより、一例として、目標解像度を基準解像度に最も近い解像度に設定することができるので、容易に、目標解像度を第１解像度と第２解像度とが互いに一致する解像度のうち最大の解像度よりも小さい解像度に設定することができる。
【００５１】
また、本実施形態では、上記のように、制御部１５は、基準解像度以上で、かつ、第１解像度と第２解像度とが互いに一致する最小の解像度を目標解像度として決定するように構成されている。これにより、一例として、目標解像度を基準解像度以上でかつ比較的小さい解像度に設定することができるので、テレビジョン装置２０に送信する表示データのフレームレートを相対的に大きくすることができ、第２映像の映像品質を高めることができる。
【００５２】
また、本実施形態では、上記のように、制御部１５は、複数の第１解像度のうち基準解像度以上でかつ最小の第１解像度と一致する第２解像度が存在するか否かを判断し、最小の第１解像度と一致する第２解像度が存在する場合には、その第２解像度を目標解像度として決定するとともに、最小の第１解像度と一致する第２解像度が存在しない場合には、最小の第１解像度の次に基準解像度よりも大きい第１解像度と一致する第２解像度が存在するか否かを判断するという一連の第１のサイクルを繰り返すように構成されている。これにより、一例として、目標解像度の存在の有無が、基準解像度以上の解像度の範囲で解像度の小さい順に順次探索されるので、容易に、基準解像度に最も近い目標解像度を決定することができる。
【００５３】
また、本実施形態では、上記のように、制御部１５は、上記第１のサイクルを繰り返しても目標解像度を決定することができない場合には、基準解像度未満で、かつ、第１解像度と第２解像度とが互いに一致する最大の解像度を目標解像度として決定するように構成されている。これにより、一例として、基準解像度以上の解像度の範囲で目標解像度が決定できない場合でも、目標解像度を基準解像度未満でかつ比較的大きい解像度に設定することができる。その結果、一例として、目標解像度が過度に小さい解像度に設定されることに起因して、第２映像の映像品質が低下するのを抑制することができる。
【００５４】
また、本実施形態では、上記のように、制御部１５は、複数の第１解像度のうち基準解像度未満でかつ最大の第１解像度と一致する第２解像度が存在するか否かを判断し、最大の第１解像度と一致する第２解像度が存在する場合には、最大の第１解像度と一致する第２解像度を第２映像の解像度として決定するとともに、最大の第１解像度と一致する第２解像度が存在しない場合には、最大の第１解像度の次に基準解像度よりも小さい第１解像度と一致する第２解像度が存在するか否かを判断するという一連の第２のサイクルを繰り返すように構成されている。これにより、一例として、基準解像度以上の解像度の範囲で目標解像度が決定できない場合でも、目標解像度の存在の有無が基準解像度未満の解像度の範囲で解像度の大きい順に順次探索されるので、容易に、基準解像度に最も近い目標解像度を決定することができる。
【００５５】
また、本実施形態では、上記のように、制御部１５は、第１映像（サーバ（図１参照）から配信されるコンテンツ）を含む表示部１２の表示画面全体に対応する映像を第２映像としてテレビジョン装置２０の表示部２２に表示させる第１のモードが選択されている場合には、表示部１２の表示画面全体に対応する第１解像度を基準解像度として決定し、表示部１２に表示された第１映像そのものに対応する映像を第２映像としてテレビジョン装置２０の表示部２２に表示させる第２のモードが選択されている場合には、第１映像そのものに対応する第１解像度を基準解像度として決定するように構成されている。これにより、一例として、第１のモードが選択されているか、または、第２のモードが選択されているかに応じて、基準解像度を適切に決定することができる。
【００５６】
なお、上記実施形態によるタブレットは、通常のコンピュータを利用したハードウェア構成となっており、タブレットの制御部により実行されるプログラムは、ＲＯＭやＲＡＭなどからなる記憶部に格納されている。そして、このプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、コンピュータで読み取り可能な記録媒体に記録された状態で提供される。なお、上記プログラムは、インターネットなどのネットワークに接続されたコンピュータ上に格納され、ネットワーク経由で提供または配布されるように構成されていてもよい。また、上記プログラムは、ＲＯＭなどに予め組み込まれた状態で提供されるように構成されていてもよい。
【００５７】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００５８】
たとえば、上記実施形態では、電子機器の一例としてのタブレット（携帯情報端末）に本発明を適用する例を示したが、本発明は、タブレット以外の携帯情報端末（スマートフォンなど）や、携帯情報端末以外の電子機器（ＰＣなどの情報処理装置など）にも適用可能である。また、上記実施形態では、Ｍｉｒａｃａｓｔ（登録商標）という技術を用いて表示データを送受信する場合に本発明を適用する例を示したが、本発明は、他の技術を用いて表示データを送受信する場合にも適用可能である。
【符号の説明】
【００５９】
１０  タブレット（電子機器、第１電子機器）
１１  通信部（送信部）
１２  表示部（第１表示部）
２０  テレビジョン装置（他の電子機器、第２電子機器）
２２  表示部（第２表示部）
【図１】
2015012365.tif 000003
【図２】
2015012365.tif 000004
【図３】
2015012365.tif 000005
【図４】
2015012365.tif 000006
【図５】
2015012365.tif 000007
【図６】
2015012365.tif 000008